(57)【要約】【課題】アマモ場の育成に適したアマモ苗育成用炭素繊維シート、アマモ苗固定炭素繊維シート及びこれらを用いるアマモ場の育成方法を提供する。【解決手段】炭素繊維シートと、前記炭素繊維シートに保持したアマモ種子とからなるアマモ育苗用炭素繊維シート。炭素繊維シートは炭素繊維編織物又は炭素繊維不織布が好ましい。更に、炭素繊維マット又は炭素繊維不織布の炭素繊維にアマモ苗の根を絡ませて固定されたアマモ苗とからなるアマモ苗固定炭素繊維シート。【選択図】　なし【特許請求の範囲】
【請求項１】
炭素繊維シートと、前記炭素繊維シートに保持したアマモ種子とからなるアマモ育苗用炭素繊維シート。
【請求項２】
炭素繊維シートが炭素繊維編織物又は炭素繊維不織布からなる請求項１に記載のアマモ育苗用炭素繊維シート。
【請求項３】
炭素繊維シートと、前記炭素繊維シートの炭素繊維にアマモ苗の根を絡ませて固定されたアマモ苗とからなるアマモ苗固定炭素繊維シート。
【請求項４】
炭素繊維シートが炭素繊維マット又は炭素繊維不織布からなる請求項３に記載のアマモ苗固定炭素繊維シート。
【請求項５】
炭素繊維シートにアマモ種子を予め播種し、次いで海水中で前記アマモ種子を発芽育苗させることによりアマモ苗の根を炭素繊維シートの炭素繊維に絡ませてアマモ苗を炭素繊維シートに固定したアマモ苗固定炭素繊維シートを得、その後前記アマモ苗固定炭素繊維シートを海底に設置するアマモ場の育成方法。
【請求項６】
請求項１又は２に記載のアマモ育苗用炭素繊維シートを海底に設置するアマモ場の育成方法。
【請求項７】
請求項１又は２に記載のアマモ育苗用炭素繊維シートを海底に設置し、次いで前記アマモ育苗用炭素繊維シートの上面に砂泥を被覆するアマモ場の育成方法。
【請求項８】
炭素繊維シートが炭素繊維マット又は炭素繊維不織布からなる請求項６又は７に記載のアマモ場の育成方法。
【発明の詳細な説明】
【０００１】
【発明の属する技術分野】
本発明は、海草の一種であるアマモの群生しているアマモ場の育成方法、及びその育成に用いるアマモ苗育成用炭素繊維シート、アマモ苗固定炭素繊維シートに関する。
【０００２】
【従来の技術】
干潮線下５〜１０ｍに生育するアマモの集落はアマモ場として知られている。
【０００３】
アマモは、葉の長さが６０〜１００ｃｍの藻類で、春先に草体の一部が花枝に変化し種子を形成する。種子は冬に発芽し、冬から春にかけて盛んに生育し、株別れを繰返す。春から秋にかけて繁茂成熟した後枯死して海底に沈積するか、潮流により流される。秋になると、草丈の短い草体のみになる。繁殖方法は、種子による方法と、地下茎が増殖して新しい株（栄養株）を形成する方法とがある。夏期に高温水であると、栄養株は育たず、一年でその寿命を終える。
【０００４】
アマモ場は、幼稚魚類、小動物等の海中生物の生育場として、更には海水の富栄養化の原因となる窒素やリンを吸収する水質浄化の観点からも重要であるが、近年埋立て、護岸工事、底質汚染の影響のためか、全国的にアマモ場の減少が指摘されている。
【０００５】
このため、近年全国的にアマモ場を回復させることを目的とし、各種の試みがなされている。例えば、特開昭６３−１４１５２３号公報には、ロックウールマットにアマモの種子を播種し、前記ロックウールマット上の種子を水槽内で発芽、育苗させた後、マットと共に苗を海底に設置するアマモ場の造成方法が開示されている。この方法によれば、ロックウールマットは使用後一定期間が経過すると土に還元され環境破壊が避けられることが記載されている。
【０００６】
特開平６−２０５６２０号公報には、綿糸等の早期腐食性の繊維とポリアミド糸等の難腐食性の繊維又は非腐食性の繊維とで交繊された布帛により袋体を形成し、前記袋体にアマモの種子を充填して海底に敷設する事により、時間の経過と共に早期腐食性の繊維が消失してネット状になり、これをアマモの生育基盤とするアマモ場の造成方法が記載されている。
【０００７】
特開平１０−４２６２６号公報には、アマモの種子を接着させた網状のシートをロール状に巻上げ、これを船上から巻き出しながら海底に敷設させるアマモの播種方法が記載されている。なお、網状のシートは、セルロースアセテート等の生分解性繊維で構成されている。この方法によれば、簡単かつ低コストで播種できると共に、潮の流れによるアマモ種子の流失を防止できることが記載されている。
【０００８】
特開平１１−３０８９０４号公報には、アセチルセルロース等の生分解性繊維で構成したネットや多孔質シートに、水溶性接着剤を用いてアマモ種子等を接着した播種シート、及びこれをロール状に巻上げ海底に敷設する人工藻場の造成方法が開示されている。この方法によれば、簡単かつ低コストで播種できると共に、潮の流れによるアマモ種子の流失を防止できることが記載されている。
【０００９】
上記方法は、いずれも用いるネット、シート等の構造材が土に還元されたり、生分解されたりして、環境破壊を引き起すことのないように配慮されている。しかし、これらの方法による場合は、長期間安定してアマモ場を育成することはできない。
【００１０】
一方、特開２００１−２３１３９７号には、炭素繊維で形成されたネット等の保持体を海底や海中に固定することにより、これに藻類等を付着させ、更に藻類等の付着した保持体近傍に魚類を食物連鎖を利用して生息させることにより人工の藻場や魚礁を形成し、海水を浄化する方法が記載されている。
【００１１】
また、特開２００１−２４８０４４号公報には、縦糸をラッセル編みにする特殊な構造の炭素繊維シートを海中に固定することにより、上記と同様の人工藻場を造成する方法が記載されている。
【００１２】
これら炭素繊維を保持体として用いる人工藻場は、いずれも付着する藻や海中生物が特定されておらず、その海域に適した藻や海中生物が自然に付着することにより造成される。従って、アマモ場の育成に適当であるか否かは不明である。
【００１３】
【発明が解決しようとする課題】
本発明者らは、長期間、安定して、かつ安価にアマモ場を育成する方法につき種々検討しているうちに、炭素繊維シートにアマモ種子を播種し、これを苗床に用いて海水中で育苗すると、発芽したアマモ苗がその根を炭素繊維シートの炭素繊維に絡ませて強固にシートに固定されると共に、これを海底に設置すると、アマモが流出することなく成長し、更にアマモの根が炭素繊維シートを突抜けて海底の砂泥に固定され、その後地下茎が増殖して新しい株（栄養株）を形成し、アマモが根付くことを知見した。
【００１４】
本発明は上記知見に基づき完成するに至ったもので、その目的とするところはアマモ場の育成に適したアマモ苗育成用炭素繊維シート、アマモ苗固定炭素繊維シート及びこれらを用いるアマモ場の育成方法を提供することにある。
【００１５】
【課題を解決するための手段】
上記目的を達成する本発明は、以下に記載するものである。
【００１６】
〔１〕　炭素繊維シートと、前記炭素繊維シートに保持したアマモ種子とからなるアマモ育苗用炭素繊維シート。
【００１７】
〔２〕　炭素繊維シートが炭素繊維編織物又は炭素繊維不織布からなる〔１〕に記載のアマモ育苗用炭素繊維シート。
【００１８】
〔３〕　炭素繊維シートと、前記炭素繊維シートの炭素繊維にアマモ苗の根を絡ませて固定されたアマモ苗とからなるアマモ苗固定炭素繊維シート。
【００１９】
〔４〕　炭素繊維シートが炭素繊維マット又は炭素繊維不織布からなる〔３〕に記載のアマモ苗固定炭素繊維シート。
【００２０】
〔５〕　炭素繊維シートにアマモ種子を予め播種し、次いで海水中で前記アマモ種子を発芽育苗させることによりアマモ苗の根を炭素繊維シートの炭素繊維に絡ませてアマモ苗を炭素繊維シートに固定したアマモ苗固定炭素繊維シートを得、その後前記アマモ苗固定炭素繊維シートを海底に設置するアマモ場の育成方法。
【００２１】
〔６〕　〔１〕又は〔２〕に記載のアマモ育苗用炭素繊維シートを海底に設置するアマモ場の育成方法。
【００２２】
〔７〕　〔１〕又は〔２〕に記載のアマモ育苗用炭素繊維シートを海底に設置し、次いで前記アマモ育苗用炭素繊維シートの上面に砂泥を被覆するアマモ場の育成方法。
【００２３】
〔８〕　炭素繊維シートが炭素繊維マット又は炭素繊維不織布からなる〔６〕又は〔７〕に記載のアマモ場の育成方法。
【００２４】
以下、本発明を詳細に説明する。
【００２５】
【発明の実施の形態】
（アマモ育苗用炭素繊維シート）
本発明において、アマモ育苗用炭素繊維シートを製造する際に用いるアマモ種子の入手方法は特に制限が無いが、例えば、天然に育ったアマモが放出する種子を採取したり、春から夏にかけて形成されるアマモの花枝を採取し、これを海水中で栽培し、成長して放出する種子を採取する方法等を挙げることができる。
【００２６】
本発明において用いる炭素繊維シートは特に制限が無く、炭素繊維編織物、不織布、炭素繊維ペーパ等を例示できる。不織布としては、マット、ニードルパンチ法やウォータージェット法で処理した不織布、接着剤等で成形した不織布等を例示できる。特に不織布が好ましい。
【００２７】
炭素繊維シートは厚さは１〜１０ｍｍが好ましく、３〜７ｍｍがより好ましい。厚さが１ｍｍ未満の場合は、強度が不足し、また種子の保持が不十分になる場合がある。厚さが１０ｍｍを超える場合は、炭素繊維を大量に必要とするので不経済であると共に、アマモの根が炭素繊維シートを突抜けて海底の砂泥に固定し難くなる。
【００２８】
炭素繊維シートの目付は、編織物の場合２０〜２００ｇ／ｍ２　、マットの場合５０〜５００ｇ／ｍ２、不織布の場合５０〜１５００ｇ／ｍ２が好ましい。目付を上記範囲にすることにより、アマモの根の固定、及びアマモの根の突抜け性を向上させることができる。
【００２９】
炭素繊維シートの厚さ以外の寸法は、特に制限が無く、使用場所、使用目的等に応じて適宜選定する。
【００３０】
前記炭素繊維シートを構成する炭素繊維は、通常のポリアクリロニトリル系のものが好ましい。
【００３１】
前記炭素繊維シートにアマモの種子を保持させる方法としては、炭素繊維シート内に分散させる方法、炭素繊維シート表面に接着剤を用いて貼着する方法等、任意の方法を採用できる。
【００３２】
炭素繊維シート内に分散させる方法としては、炭素繊維シートを製造する際にアマモ種子を混入させる方法；炭素繊維シートを製造後アマモ種子をシート上面に散布し、振動等を加えることにより種子をシート内に埋入させ分散させる方法；２枚の炭素繊維シート間に種子を挟み込みシートを接着する方法；炭素繊維ウェブに種子を混入させ、これを不織布加工する方法等任意の方法を採用できる。
【００３３】
炭素繊維シートに分散させるアマモ種子量としては、特に制限はないが、通常２００〜１０００粒／ｍ２程度が好ましい。
【００３４】
図１は、アマモ育苗用炭素繊維シートの概略図である。図１中、２は炭素繊維シートで、該シート中にアマモ種子４が埋入されている。
【００３５】
このようにして製造したアマモ育苗用炭素繊維シートは、そのまま使用に供してもよいが、ロール状に巻回してその使用場所で巻戻して使用することにより、保存場所の倹約、取扱い良さを高めることができる。
【００３６】
（アマモ苗固定炭素繊維シート）
上記のようにして製造したアマモ育苗用炭素繊維シートを用いて、アマモ苗固定炭素繊維シートを得る方法につき説明する。
【００３７】
まず、海水を供給することのできる水槽内に上記製造したアマモ育苗用炭素繊維シートを広げて載置し、海水を供給し、温度を発芽温度に保つ。これにより図２に示すように、アマモ種子は発芽し、時間の経過と共に成長して苗６となり、根８を炭素繊維シート１０内に絡ませ炭素繊維シートに固定される。これにより、本発明アマモ苗固定炭素繊維シート１００を得る。
【００３８】
なお、アマモ苗固定炭素繊維シートの製造方法は上記に限られず、炭素繊維シート上面にアマモ種子を単に散布し、この状態で海水中に保持して発芽させることにより、アマモ根を炭素繊維に絡ませた本発明アマモ苗固定炭素繊維シートを製造することができ、この方法も本発明に含む。
【００３９】
（アマモ場の育成方法）
本発明においては、上記のようにして製造したアマモ苗固定炭素繊維シートを海底に密着させて固定する。これにより時間の経過と共に、アマモが流出することなく成長し、更にアマモの根が炭素繊維シートを突抜けて海底の砂泥に固定され、その後地下茎が増殖して新しい株（栄養株）を形成し、アマモが根付き、最終的にアマモ場を形成する。
【００４０】
アマモ苗固定炭素繊維シートを固定する方法は、アンカーで固定する等の公知の方法を例示できる。
【００４１】
固定場所は、比較的潮流が穏やかで、波の静かな内湾等の、水深が干潮線下５〜１０ｍの海底が好ましい。
【００４２】
なお、本発明のアマモ場の育成方法においては、上記アマモ苗固定炭素繊維シートを海底に固定する以外に、本発明のアマモ育苗用炭素繊維シートを直接海底に密着させて固定してもよい。この場合も、時間の経過と共に、アマモが流出することなく成長し、更にアマモの根が炭素繊維シートを突抜けて海底の砂泥に固定され、その後地下茎が増殖して新しい株（栄養株）を形成し、アマモが根付き、最終的にアマモ場を形成する。
【００４３】
更に、本発明のアマモ場の育成方法においては、上記アマモ苗固定炭素繊維シートを海底に固定した後、その上面に砂泥を被覆してもよい。この場合も、上記と同様に、時間の経過と共に発芽、地下茎の増殖を経て最終的にアマモ場を形成する。
【００４４】
以下、実施例により本発明を更に具体的に説明する。
【００４５】
【実施例】
実施例１
厚さが７ｍｍ、目付が１０００ｇ／ｍ２　、縦横の長さ１ｍ×１ｍの炭素繊維不織布上面に、アマモ種子を散布し、振動を与えて不織布内にアマモ種子を埋入させて、アマモ育苗用炭素繊維不織布を得た。アマモ種子の埋入量は４００〜５００粒／ｍ２であった。
【００４６】
このアマモ育苗用炭素繊維不織布を、約１０℃の海水中に浸漬して発芽させ、アマモ苗固定炭素繊維不織布を得た。アマモ苗は、その根を炭素繊維に絡ませて、炭素繊維不織布に固定されていた。
【００４７】
このアマモ苗固定炭素繊維不織布を、秋に水深が干潮線下５ｍの海底に固定した。翌年の夏には、アマモ場が育成していることが認められた。
【００４８】
実施例２
厚さが７ｍｍ、目付が１０００ｇ／ｍ２　、縦横長さ１ｍ×１ｍの炭素繊維不織布上面に、アマモ種子を散布し、振動を与えて不織布内にアマモ種子を埋入させて、アマモ育苗用炭素繊維不織布を得た。アマモ種子の埋入量は４００〜５００粒／ｍ２であった。
【００４９】
このアマモ育苗用炭素繊維不織布を、海底に設置し、その表面に砂泥を１ｃｍの厚さで被覆した。一年後にアマモ場が形成されていた。
【００５０】
【発明の効果】
本発明のアマモ育苗用炭素繊維シートは、炭素繊維シートをアマモ種子の保持体としたので、アマモ苗の根との親和性がよく、アマモ苗を確実に炭素繊維シートに固定できる。特に、炭素繊維シートとして不織布や、マットを用いる場合はアマモ苗の根がこれら不織布やマットを突抜けて海底に埋入しやすいので、アマモの地下茎形成に有効である。また、炭素繊維シートは耐候性に富むので、長期間海底にあって、アマモを固定でき、アマモ場の形成に寄与する。
【図面の簡単な説明】
【図１】本発明アマモ育苗用炭素繊維シートの一例を示す側面断面図である。
【図２】本発明アマモ苗固定炭素繊維シートの一例を示す側面断面図である。
【符号の説明】
２　　炭素繊維シート
４　　アマモ種子
６　　アマモ苗
８　　根
１０　　炭素繊維シート
１００　　アマモ苗固定炭素繊維シート
【図１】
2004073109.tif 000002
【図２】
2004073109.tif 000003